(57)【特許請求の範囲】
【請求項１】
アナログ信号を直線特性のデジタル信号に変換し、該デジタル信号を折線圧縮符号に変換した信号を送受信する圧縮符号化信号伝送システムに於いて、
前記直線特性のデジタル信号と、１ビットの極性ビットと３ビットのセグメントビットと７ビットのステップビットとを含む前記折線圧縮符号化信号との変換を行う圧伸部と、前記折線圧縮符号化信号の送受信手段とを備え、
該圧伸部は、Ｊ．４１圧縮符号化における出力デジタル信号の入力レベル０〜±１の範囲の０を含む低レベルに対応する範囲と、前記折線圧縮符号化信号の前記セグメントビットをオール“１”として前記ステップビットのパターンとを対応させて前記出力デジタル信号の出力標準値を細分化する変換特性を含む構成を備えた
ことを特徴とする圧縮符号化信号伝送システム。
【請求項２】
前記圧伸部は、直線特性のデジタル信号と折線圧縮符号化信号との変換処理を行う機能を備え、前記直線特性のデジタル信号の０と前記折線圧縮符号化信号の０とを対応させ、前記直線特性のデジタル信号の０〜±１の範囲と前記折線圧縮符号化信号の前記ステップビットのパターンとを対応させ、且つ前記セグメントビットをオール“１”とした変換特性を備えたことを特徴とする請求項１記載の圧縮符号化信号伝送システム。
【請求項３】
前記送受信手段は、前記圧伸部による前記折線圧縮符号化信号の複数の受信側対応に、該折線圧縮符号化信号を時分割多重化して送信する手段と、時分割多重化された前記折線圧縮符号化信号を受信して時分割処理により受信する手段とを含むことを特徴とする請求項１又は２記載の圧縮符号化信号伝送システム。
【発明の詳細な説明】
【技術分野】
【０００１】
本発明は、リニア特性の信号を折線圧縮符号化して伝送し、且つ低レベル信号品質を改善可能とした圧縮符号化信号伝送システムに関する。
【背景技術】
【０００２】
ラジオ放送システム等に於いては、例えば、キー局から単一又は複数のローカル局へ放送信号を伝送するものであり、その場合に、アナログ信号をデジタル信号に変換して伝送するシステムが適用されている。その場合のデジタル信号は、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｔａｎｄａｒｄｉｚａｔｉｏｎ  Ｓｅｃｔｏｒ）勧告のＪ．４１による折線圧縮符号化が適用されている。この折線圧縮符号化方式は、Ｖａｒｉａｎｔ  Ａと、Ｖａｒｉａｎｔ  Ｂとの方式があり、日本では、Ｖａｒｉａｎｔ  Ｂが、Ａ−ｌａｗとして各所に適用されている。このＶａｒiａｎｔ  Ｂによる折線圧縮符号化方式は、アナログ信号を、３８４ｋｂｐｓのリニア特性の例えば２４ビット構成のデジタル信号に変換し、その２４ビットのリニア特性のデジタル信号の下位ビットを削除して１４ビット構成とし、これを１ビットの極性ビットと、３ビットのセグメントビットと、７ビットのステップビットとからなる１１ビット構成の折線圧縮符号に変換し、更に偶パリティのパリティビットを付加して合計１２ビット構成とするものである。
【０００３】
図４は、前述のＩＴＵ−ＴのＪ．４１による折線圧縮符号化の説明図であり、（Ａ）は折線圧縮符号化曲線、（Ｂ）は各ビットの名称を示すもので、図４の（Ａ）の縦軸は信号レベル、横軸はセグメント名称を示し、＋８１９２〜０〜−８１９２のリニア特性のデジタル信号を、０レベルを中心に、−２５６〜−１２８〜０〜＋１２８〜＋２５６の範囲を１折線として示す第６セグメントとし、それ以上の±２５６〜±８１９２の範囲を第１〜第５折線とし、１４ビット構成のリニア特性のデジタル信号を合計で１１ビット構成の折線圧縮符号に変換する。又同図の（Ｂ）に示すように、１１ビット構成の折線圧縮符号にパリティビットを付加した１２ビット構成の折線圧縮符号化信号は、１ビット構成の極性ビットＳと、３ビット構成のセグメントビットＸ〜Ｚと、７ビット構成のステップビットＡ〜Ｇと、１ビット構成のパリティビットＰとにより構成され、各ビットの配列は、図示のように、“ＳＦＡＢＺＥＸＹＣＧＤＰ”とした場合を示す。
【０００４】
図５は、折線圧縮符号化の正極性側の符号関係を示し、入力レベル範囲と、出力標準値と、ステップサイズΔｉと、セグメントＮｏ．と、１１ビット圧縮符号“ＳＸＹＺＡＢＣＤＥＦＧ”とを示すもので、図４に示す折線圧縮符号化曲線の正極性側の第１〜第５セグメントと第６セグメントとについて示し、第１セグメントは、ステップサイズΔｉ＝３２、第２セグメントは、Δｉ＝１６、第３セグメントは、Δｉ＝８、第４セグメントは、Δｉ＝４、第５セグメントは、Δｉ＝２、第６セグメントは、Δｉ＝１とする。入力レベル０〜±８１９２の範囲内に於いて、第６セグメントは、入力レベル０〜±２５６の範囲内を、ステップサイズΔｉ＝１として符号化する。
【０００５】
図６は、受信信号処理の概略フローチャートを示し、現時点の受信信号Ｘｎについて、正常受信時は、Ｙｎ＝Ｘｎとして受信処理することを順次繰り返す（Ｓ１）。この受信信号Ｘｎに誤り発生検出時、即ち、パリティビットＰを用いた誤り発生検出時、或いは、セグメントビットＸＹＺを“１１１”として誤り表示の場合、今回の受信信号Ｘｎの前の受信信号Ｘｎ−1を、今回の受信信号Ｘｎの代わりの受信信号として処理する（Ｙｎ＝Ｘｎ−１）（Ｓ２）。又２連続誤りの場合、即ち、連続して受信信号Ｘｎ−1，Ｘｎの誤りの場合、Ｙｎ＝Ｙｎ−１として、１サンプル前の受信信号を繰り返して受信信号として処理する（Ｓ３）。このような誤りが３回連続すると、即ち、Ｘｎ，Ｘｎ−１，Ｘｎ−２の３連続誤りの場合、Ｙｎ＝０．９×Ｙｎ−１として受信処理する（Ｓ４）。これは、３連続誤りの場合、出力レベルを１割分低減させる処理により、受信再生アナログ信号の異状レベル上昇を抑制することを示し、アナログ音声信号の送受信システムに於ける伝送異常発生時の受信レベルの異常上昇によって再生音声信号レベルが異状に上昇することを回避する手段が適用されている。
【０００６】
図７は、従来例の放送信号伝送システムの概要説明図であり、前述の折線圧縮符号化信号として伝送する場合の概要を示し、キー局１００と、既存のローカル局１０１と新設のローカル局１０２とを含み、１０３は分離部、１０４は多重部、１１０はＡ／Ｄ変換部、１１１は送信同報処理部、１１２はＤ／Ａ変換部、１１３は受信選択処理部を示す。なお、ローカル局１０１，１０２は、Ｄ／Ａ変換部とＡ／Ｄ変換部との機能部分のみを示し、Ａ／Ｄ変換部及びＤ／Ａ変換部は、それぞれＪ．４１圧縮符号化及び復号化機能を含むものである。放送用音声信号は、キー局１００のＡ／Ｄ変換部１１０に於いてＡＤ変換と折線圧縮符号化との処理によるデジタル信号とし、送信同報処理部１１１により、ローカル局１０１，１０２対応にコピーして、連続するタイムスロットに、＃２、＃３として示すように挿入して、多重化処理を行って送信する。この時間多重化されたデジタル信号は、分離部１０３によりタイムスロット対応に分離されて、ローカル局１０１，１０２へそれぞれ送信される。ローカル局１０１，１０２は、Ｊ．４１圧縮符号化されたデジタル信号を受信し、Ｄ／Ａ変換部１１５，１１７により直線符号化信号に復号化すると共にアナログ信号に変換し、放送用音声信号として、図示を省略した送信手段により放送所のアンテナから送信する。又ローカル局１０１，１０２に於いて収集或は作成した中継用信号を、Ａ／Ｄ変換部１１６，１１８によりデジタル信号に変換し、且つ折線圧縮符号化し、多重部１０４を介してキー局１００へ送信する。キー局１００は、受信選択処理部１１３により受信処理したローカル局１０１，１０２の何れか一方からのデジタル信号を選択し、Ｄ／Ａ変換部１１２により直線符号化信号に復号化すると共にアナログ信号に変換して中継用信号とし、放送或は他のローカル局へ送信する。
【０００７】
又キー局からローカル局への複数系統のデジタル放送用信号を多重化して伝送するシステムに於いて、デジタル放送用信号が、予測符号化により圧縮符号化された画像信号の場合に、系統切替時の受信再生側の円滑な切替えを可能とする手段が提案されている（例えば、特許文献１参照）。又Ｊ．４１圧縮符号化を適用して音声信号を伝送する場合、Ａ／Ｄ変換による２４ビット構成のデジタル信号の下位１０ビットを切捨て、１ビットの符号ビットと１３ビットとのリニア符号のデジタル信号を、前述のＪ．４１圧縮符号化方式に従って、１１ビット構成の折線符号に変換する場合、その最下位ビットの変化によるノイズ成分の影響を除く為に、予めデジタル信号或はアナログ信号としてのノイズ成分を付加する手段が提案されている（例えば、特許文献２参照）。又量子化手段として、Ｍｉｄ−ｒｉｓｅ型とＭｉｄ−ｔｒｅａｄ型とがあり、Ｍｉｄ−ｒｉｓｅ型の量子化器は、出力が０を含まない±１、±３、・・・となる特性を有し、Ｍｉｄ−ｔｒｅａｄ型の量子化器は、出力が０を含み、±２、±４、・・・となる特性を有するもので、それらを組み合わせて、フィードバック回路を構成し、アナログ処理回路のノイズシェービングを行う手段が提案されている（例えば、特許文献３参照）。
【先行技術文献】
【特許文献】
【０００８】
【特許文献１】特開２００３−２８４０７４号公報
【特許文献２】特開２００９−２９６４９６号公報
【特許文献３】特開２０１０−７４６５２号公報
【発明の概要】
【発明が解決しようとする課題】
【０００９】
前述のＪ．４１圧縮符号化は、放送用信号の伝送システム等に適用されており、アナログ信号をデジタル化し、更に折線圧縮符号化することにより帯域圧縮を図り、伝送効率の向上を図るものであり、前述のように、Ｊ．４１符号化方式は、アナログ信号を１４ビットの直線符号化によるデジタル信号に変換し、更に１１ビット構成の折線符号化を行うものであり、１６，３８４個の信号を、２，０４８個の信号に割当てることにより、圧縮符号化するものである。その場合の０を中心とした＋２５５．５〜０〜−２５５．５の範囲内の標本値は、非圧縮領域に相当した値であるが、アナログ音声信号に復号した時に、量子化雑音が含まれたものとなる場合が多く、高品質音声再生装置ではノイズが含まれた受信再生音声となる問題がある。
【００１０】
又ノイズ成分を抑圧して、信号品質向上を図る手段として、前述の特許文献３に開示されているＭｉｄ−ｒｉｓｅ型とＭｉｄ−ｔｒｅａｄ型との量子化器を組み合わせ、フィードバック制御によりノイズ成分抑圧を図る手段は、フィードバック制御による複雑な回路構成を有すると共に、入力されたアナログ信号に、ノイズシェーピング回路を介してフィードバックした信号をアナログ信号に変換して減算するものであり、折線圧縮符号化信号の低レベルの品質改善を行うことは不可能である。又ラジオ放送受信装置を含めて、音声信号再生装置の特性が向上していることに合わせて、新設ローカル局又は既設ローカル局の放送設備の特性改善が図られている。しかし、キー局側から各ローカル局へ伝送する放送信号は、前述のように、Ｊ．４１符号化方式により圧縮符号化し、パリティビットを含めて１２ビット構成として送出するものであり、圧縮前はアナログ信号を１４ビット構成のデジタル信号に変換するから、その場合の最小振幅は、−７３ｄＢｍに相当し、通常は微かに聞き取れるレベルである。このように第６セグメントに相当する範囲内では、１４ビット構成のデジタル信号を非圧縮とした場合に相当し、前述の音声信号再生装置の特性向上により量子化雑音が再生される問題がある。
【００１１】
本発明は、前述の従来例の問題点を解決することを目的とし、既設の送受信局に対しては、従来通りの受信特性とし、新設送受信局や特性改善設備導入局に対しては、低レベル信号品質の向上を可能とするものである。
【課題を解決するための手段】
【００１２】
本発明の圧縮符号化信号伝送システムは、アナログ信号を直線特性のデジタル信号に変換し、該デジタル信号を折線圧縮符号に変換した信号を送受信する圧縮符号化信号伝送システムに於いて、直線特性のデジタル信号と、１ビットの極性ビット、と３ビットのセグメントビットと、７ビットのステップビットとを含む折線圧縮符号化信号との変換を行う圧伸部と、折線圧縮符号化信号の送受信手段とを備え、圧伸部は、Ｊ．４１圧縮符号化における出力デジタル信号の入力レベル０〜±１の範囲の０を含む低レベルに対応する範囲と、折線圧縮符号化信号のセグメントビットをオール“１”として前記ステップビットのパターンとを対応させて前記出力デジタル信号の出力標準値を細分化する変換特性を含む構成を備えている。
【００１３】
前記圧伸部は、直線特性のデジタル信号と折線圧縮符号化信号との変換処理を行う機能を備え、前記直線特性のデジタル信号の０と前記折線圧縮符号化信号の０とを対応させ、前記直線特性のデジタル信号の０〜±１の範囲と前記折線圧縮符号化信号の前記ステップビットのパターンとを対応させ、且つ前記セグメントビットをオール“１”とした変換特性を備えている。
【００１４】
前記送受信手段は、前記圧伸部による前記折線圧縮符号化信号の複数の受信側対応に、該折線圧縮符号化信号を時分割多重化して送信する手段と、時分割多重化された前記折線圧縮符号化信号を受信して時分割処理により受信する手段とを含む構成を備えている。
【発明の効果】
【００１５】
放送信号等の信号伝送システムに於いて、受信再生特性の向上に対応して、折線圧縮符号化を適用して伝送効率を向上し、且つ低レベル信号をほぼ正確に伝送して、受信側の再生品質の向上を図ることが可能となる。
【図面の簡単な説明】
【００１６】
【図１】本発明の実施例１の説明図である。
【図２】本発明の実施例１の低レベル信号の折線圧縮符号化信号の説明図である。
【図３】本発明の実施例１の伝送システムの要部説明図である。
【図４】折線圧縮符号化信号のセグメント構成の説明図である。
【図５】折線圧縮符号化の正極性側の符号関係の説明図である。
【図６】受信信号処理の概略フローチャートである。
【図７】従来例の放送信号伝送システムの概要説明図である。
【発明を実施するための形態】
【００１７】
本発明の圧縮符号化信号伝送システムは、図１を参照して説明すると、アナログ信号を直線特性のデジタル信号に変換し、該デジタル信号を折線圧縮符号に変換した信号を送受信する圧縮符号化信号伝送システムであって、直線特性のデジタル信号と、１ビットの極性ビットと、３ビットのセグメントビットと、７ビットのステップビットとを含む折線圧縮符号化信号との変換を行う圧伸部１５，１８と、折線圧縮符号化信号の送受信手段とを備え、圧伸部は、デジタル信号の０〜±１の範囲の０を含む低レベルの範囲と、折線圧縮符号化信号のセグメントビットをオール“１”として前記ステップビットのパターンとを対応させた変換特性を含む構成を備えている。
【実施例１】
【００１８】
図１は、本発明の実施例１の説明図であり、１は入出力部、２ａ、２ｂは０系と１系との符号変換機能部、３は光インタフェース部、４は監視制御機能部、５は電源部、６，７はモニタ信号分岐部を示す。又１１はアナログ入力部、１２はアナログ出力部、１３はＡ／Ｄ変換部、１４はＤ／Ａ変換部を示し、ステレオ適用の為の左（Ｌ）（ｌｅｆｔ）と右（Ｒ）（ｒｉｇｈｔ）との構成を含み、又１５，１８は圧伸部、１６，１７は分岐部、１９はＨＳＤ（Ｈｉｇｈ  Ｓｕｐｅｒ  Ｄｉｇｉｔａｌ）部を示し、このＨＳＤ部１９は、光電変換機能と電光変換機能部とを含み、光インタフェース部３の光スイッチにより、０系と１系との送信光信号の切替えを行い、又光カプラにより受信光信号を分岐して、０系と１系とのＨＳＤ部１９に入力する。又電源部５は、０系と１系との二重化構成の電源を含むと共に、交流電源部の停電に対処する為に常時充電するスーパーキャパシタを含む場合を示す。又監視制御機能部４は、音声モニタ部を含み、モニタ信号分岐部６，７により分岐した音声入力信号及び音声出力信号のモニタを可能としている。なお、０系と１系との符号変換機能部２ａ，２ｂは、同一機能を有する構成であるから、内部機能部分は同一符号で示している。
【００１９】
又符号変換機能部２ａ，２ｂの分岐部１６は、受信側が複数の場合に、例えば、図４の（Ｂ）に示す１２ビット構成の折線圧縮符号化信号を、複数の受信側に対応するタイムスロットにそれぞれ挿入して時間多重化し、ＨＳＤ部１９と光インタフェース部３とを介して送信し、又分岐部１７は、受信多重化信号の中の選択したタイムスロットによる送信側からの信号を多重分離してＤ／Ａ変換部１４に入力し、アナログ信号に変換する。又圧伸部１５，１８は、従来例の折線圧縮符号化復号化手段と、後述の低レベル信号の高品質化を図る折線圧縮符号化復号化手段とを含み、分岐部１６は、受信側の受信処理機能に対応して、従来例の折線圧縮符号化信号と低レベル信号の高品質化折線圧縮符号化信号とを、前述のように、タイムスロット単位等により時間多重化する手段を含むものである。なお、低レベル信号の高品質化を図る折線圧縮符号化信号を受信復号化できる受信側が総て普及すれば、従来例の折線圧縮符号化手段を、総て低レベル信号の高品質化を図る折線圧縮符号化復号化手段とした構成とすることになる。
【００２０】
図２は、本発明の実施例１の低レベル信号の高品質化を図る折線圧縮符号化信号の説明図であり、（Ａ）は入出力特性曲線図、（Ｂ）は極性ビットＳとセグメントビットＸＹＺとステップビットＡ〜Ｇと入出力値との一例を示す。圧縮符号化は、入力信号レベルが０近傍の値の場合、正極性であると＋０．５、負極性であると−０．５として、出力信号に０を含めないＭｉｄ−ｒｉｓｅ方式と、入力信号レベルが−０．５〜＋０．５の範囲内の場合は０、−０．５以下は−１、＋０．５以上は＋１とするＭｉｄ−ｔｒｅａｄ方式とが知られており、（Ａ）に示す入出力曲線は、出力を０とする場合も含むＭｉｄ−ｔｒｅａｄ方式を基に構成したものであり、入力信号レベルが−０．１２５〜０〜＋０．１２５の範囲の場合、出力信号レベルを０とし、極性ビットＳ＝“１”、セグメントビットＸＹＺ＝“１１１”、ステップビットＡ〜Ｇ＝“１１１１１１１”とする。又入力信号レベルが＋０．１２５〜＋０．３７５の場合、極性ビットＳ＝“１”、セグメントビットＸＹＺ＝“１１１”、ステップビット＝Ａ〜Ｇ＝“１１１１１１０”とする。又入力信号レベルが−０．１２５〜−０．３７５の場合、極性ビットＳ＝“１”、セグメントビットＸＹＺ＝“１１１”、ステップビット＝Ａ〜Ｇ＝“１１１１１０１”とする。従来、セグメントビットＸＹＺ＝“１１１”は誤り発生を示すものであり、その場合のステップビットＡ〜Ｇは無視するものであるが、本発明に於いては、前述のように、セグメントビットＸＹＺ＝“１１１”の場合、ステップビットＡ〜Ｇにより、低レベル信号の圧縮符号とするものである。
【００２１】
又前述の図２に示す場合は、極性ビットＳ＝“１”、セグメントビットＸＹＺ＝“１１１”として、セグメントビットＡ〜Ｇの内容により極性も示すものであるが、例えば、極性ビットＳ＝“１”により正極性、Ｓ＝“０”により負極性をそれぞれ表示し、且つセグメントビットＸＹＺ＝“１１１”とした時のステップビットＡ〜Ｇを“１１１１１１０”として信号レベルの０、ステップビットＡ〜Ｇを“１１１１１０１”として、信号レベル０〜１の中の信号レベル０．１２５、ステップビットＡ〜Ｇを“１１１１１１０”として、信号レベル０．３７５を示すことができる。又０．３７５以上１．０までのレベル範囲についても、ステップビットＡ〜Ｇにより示すことも可能である。なお、この場合、セグメントビットＸＹＺをオール“１”、ステップビットＡ〜Ｇをオール“１”として、従来例と同様にエラー発生を表示することも可能である。
【００２２】
図３は、本発明の実施例の伝送システムの説明図であり、放送信号伝送システムに適用した場合の概要説明図である。同図に於いて、３１はキー局、３２は既設のローカル局、３３は低レベル信号の高品質化手段を含む新設のローカル局、３４は分離部、３５は多重部、４０はＡ／Ｄ変換部、４１は送信同報処理部、４２はＤ／Ａ変換部、４３は受信選択処理部、４４はパターン認識部、５１はＤ／Ａ変換部、５２はＡ／Ｄ変換部、５３は送受信処理部、５４はパターン選択部、５５はＡ／Ｄ変換部、５６はＤ／Ａ変換部、５７はパターン認識部を示す。放送用音声信号をキー局３１のＡ／Ｄ変換部４０に於いてデジタル信号に変換し、且つ従来例のＪ．４１符号化方式に従って折線圧縮符号化したＡパターンと、前述の図２について説明したように、セグメントビットＸＹＺを“１１１”として、ステップビットＡ〜Ｇにより低レベル信号を含めて折線圧縮符号化して高品質化したＢパターンとを並行して生成する手段を含むものである。
【００２３】
送信同報処理部４１は、Ａ／Ｄ変換部４０に於いて生成したＪ．４１符号化方式に従った折線圧縮符号化信号のＡパターン信号＃２と、低レベル信号を高品質化したＢパターン信号＃３とを、新設のローカル局と既設のローカル局とに送信する為に例えばタイムスロット対応に時間多重化して送信処理する手段を含み、分離部３４に於いてＡパターン信号＃２とＢパターン信号＃３とを分離し、従来例の送受信機能を有するローカル局３２に対しては、Ａパターン信号＃２を送信し、Ｄ／Ａ変換部５１により、キー局３１からの折線圧縮符号化したＡパターン信号＃２を受信して復号化し、且つアナログ信号に変換して、放送用音声信号とする。又中継用信号等については、Ａ／Ｄ変換部５２によりデジタル信号に変換し、Ｊ．４１符号化方式に従って折線圧縮符号化したＡパターン信号＃２を、多重部３５を介してキー局３１へ送信する。
【００２４】
又新設のローカル局３３は、キー局３１からのＢパターン信号＃３を、分離部３４を介して受信し、パターン認識部５７により、低レベル信号の高品質化を図るＢパターン信号＃３と認識し、Ｄ／Ａ変換部５６により、セグメントビットＸＹＺが“１１１”の場合に、ステップビットＡ〜Ｇによる低レベル信号を、低レベルのアナログ信号に変換し、放送用音声信号とする。又中継用信号等については、Ａ／Ｄ変換部５５により、Ａ，Ｂパターンの折線圧縮符号化処理を行い、送信処理部５３により受信側の処理機能に応じて選択するものであるが、パターン認識部５７により、キー局３１は、Ｂパターンにより送信したことを、パターン認識部５７により認識し、その情報を送信処理部５３へ通知することにより、送信処理部５３のパターン選択部５４は、Ｂパターン信号＃３を選択して、多重部３５を介してキー局３１へ送信する。キー局３１は、受信選択処理部４３のパターン認識部４４により、Ｂパターン信号＃３と判定し、Ｄ／Ａ変換部４２に於いて低レベル信号を含む復号化処理による高品質信号を中継用信号として送出する。
【００２５】
キー局３１から複数のローカル局に対する送信信号は、前述のように、タイムスロット単位で、且つ送信順とローカル局の番号等と対応付けて管理する場合が一般的である。又キー局３１は、従って、複数のローカル局からの折線圧縮符号化信号は、例えば、タイムスロット毎による時分割多重化されて送受信され、そのタイムスロット番号とローカル局番号とを対応付けて管理することにより、既設か新設かの情報の送受信を行うことなく、新設の例えばローカル局３３からＢパターン信号＃３をキー局３１の受信選択処理部４３のパターン認識部４４に於いて、セグメントビットＸＹＺが“１１１”で、例えば、連続３回以上連続する折線圧縮符号した場合、受信選択処理部４３は、ローカル局３３は、新設設備を備えていると判断して、送信同報処理部４１へ通知する。それに基づいて、キー局３１は、ローカル局３３に対する送信信号を、Ｂパターン信号＃３として送信する。それにより、キー局３１と複数のローカル局３２，３３とは、高品質信号伝送が可能か否かをそれぞれ判定すること可能であるから、保守要員による切替作業等を必要とすることなく、低レベル信号の伝送を可能として、伝送信号の品質向上に寄与することができる。
【符号の説明】
【００２６】
１  入出力部
２ａ、２ｂ  ０系と１系との符号変換機能部
３  光インタフェース部
４  監視制御機能部
５  電源部
６，７  モニタ信号分岐部
１１  アナログ入力部
１２  アナログ出力部
１３  Ａ／Ｄ変換部
１４  Ｄ／Ａ変換部
１５，１８  圧伸部
１６，１７  分岐部
１９  ＨＳＤ部
【図１】
0005547102.tif 000002
【図２】
0005547102.tif 000003
【図３】
0005547102.tif 000004
【図４】
0005547102.tif 000005
【図５】
0005547102.tif 000006
【図６】
0005547102.tif 000007
【図７】
0005547102.tif 000008